(57)【要約】【課題】あらゆる走行距離に応じた中古車の適正な相場価格を提示することを課題とする。【解決手段】商品相場提示サーバ装置３０は、クライアント装置１０のユーザから受け付けた検索条件に合致する所定の落札履歴を検索し、その所定の落札履歴に基づいて落札価格と走行距離との関係式を算出する。そして、クライアント装置１０のユーザによって指定された所定の走行距離の情報に対応した落札価格を先ほど算出した関係式から算出し、その落札価格を相場価格としてクライアント装置１０に送信する。【選択図】        図１
2006323699.tif 000002
【特許請求の範囲】
【請求項１】
市場に流通する複数の中古車の相場価格をクライアント装置に提示する商品相場提示サーバ装置であって、
前記複数の中古車について少なくとも落札価格および走行距離からなる落札履歴を記憶する落札履歴記憶手段と、
前記落札履歴記憶手段に記憶された落札履歴から所定の検索条件を満たす落札価格と走行距離との関係式を算出する関係式算出手段と、
前記クライアント装置による所定の走行距離の指定を受け付けて、前記関係式算出手段によって算出された関係式から当該所定の走行距離に対応した落札価格を求めて、その落札価格を相場価格として提示する相場価格提示手段と、
を備えたことを特徴とする商品相場提示サーバ装置。
【請求項２】
前記関係式算出部は、中古車の車種、年式、装備、修復暦、走行距離、内外装の程度のいずれか一つまたは複数によって所定の評価を受けて落札された中古車の落札履歴のみから前記関係式を算出することを特徴とする請求項１に記載の商品相場提示サーバ装置。
【請求項３】
前記関係式算出部は、所定の車暦を持つ中古車および／または所定の走行距離を越える中古車の落札履歴を除いて前記関係式を算出することを特徴とする請求項１に記載の商品相場提示サーバ装置。
【請求項４】
前記相場価格提示部は、前記クライアント装置から走行距離の指定を受け付けた中古車の相場価格を、前記関係式を表示する線および／または所定の走行距離および所定の落札価格で区切った矩形とともに表示することを特徴とする請求項１に記載の商品相場提示サーバ装置。
【請求項５】
前記相場価格提示部は、前記落札履歴記憶部に記憶された落札履歴を、落札価格の目盛軸および走行距離の目盛軸で囲まれた領域上に表示することを特徴とする請求項１に記載の商品相場提示サーバ装置。
【請求項６】
前記相場価格提示部は、前記クライアント装置から所定の会場の指定を受け付けた場合には、当該所定の会場の落札履歴を他の会場の落札履歴と区別して前記領域に表示することを特徴とする請求項１に記載の商品相場提示サーバ装置。
【請求項７】
市場に流通する複数の商品の相場価格をクライアント装置に提示する商品相場提示サーバ装置であって、
前記複数の商品について少なくとも落札価格と、落札価格に相関する連続的な数値から構成される他の情報とからなる落札履歴を記憶する落札履歴記憶手段と、
前記落札履歴記憶手段に記憶された落札履歴から、所定の検索条件を満たす落札価格と落札価格に相関する連続的な数値から構成される他の情報との関係式を算出する関係式算出手段と、
前記クライアント装置による前記他の情報についての所定の数値の指定を受け付けて、前記関係式算出手段によって算出された関係式から当該所定の数値に対応した落札価格を求めて、その落札価格を相場価格として提示する相場価格提示部と、
を備えたことを特徴とする商品相場提示サーバ装置。
【請求項８】
市場に流通する複数の中古車の相場価格をクライアント装置に提示する商品相場提示方法であって、
前記複数の中古車について少なくとも落札価格および走行距離からなる落札履歴を記憶する落札履歴記憶工程と、
前記落札履歴記憶手段に記憶された落札履歴から所定の検索条件を満たす落札価格と走行距離との関係式を算出する関係式算出工程と、
前記クライアント装置による所定の走行距離の指定を受け付けて、前記関係式算出手段によって算出された関係式から当該所定の走行距離に対応した落札価格を求めて、その落札価格を相場価格として提示する相場価格提示工程と、
を含んだことを特徴とする商品相場提示方法。
【請求項９】
市場に流通する複数の中古車の相場価格をクライアント装置に提示する方法をコンピュータに実行させる商品相場提示プログラムであって、
前記複数の中古車について少なくとも落札価格および走行距離からなる落札履歴を記憶する落札履歴記憶手順と、
前記落札履歴記憶手段に記憶された落札履歴から所定の検索条件を満たす落札価格と走行距離との関係式を算出する関係式算出手順と、
前記クライアント装置による所定の走行距離の指定を受け付けて、前記関係式算出手段によって算出された関係式から当該所定の走行距離に対応した落札価格を求めて、その落札価格を相場価格として提示する相場価格提示手順と、
をコンピュータに実行させることを特徴とする商品相場提示プログラム。
【発明の詳細な説明】
【技術分野】
【０００１】
この発明は、市場に流通する複数の商品の相場価格をクライアント装置に提示する商品相場提示サーバ装置、商品相場提示方法および商品相場提示プログラムに関する。
【背景技術】
【０００２】
従来より、全国の中古車市場をネットワークで繋ぎ、オークション形式で誰でも簡単に中古車を競り落とすネットオークションが、中古車業界でも盛んに行われるようになってきている（例えば、特許文献１）。また、中古車販売業者や一般消費者などは、中古車情報誌に掲載されている中古車の査定価格や、ネットオークションの主催者側がユーザ向けに提供している中古車の落札価格を羅列したウェブページなどを、中古車の取引価格を決定する際に参考にしていた。
【０００３】
ところで、中古車オークションにおいて落札価格を決定する場合には、ネットオークションにおいて日々大量の取引が行われるようになったことから、刻々と変動する中古車の相場価格を無視することができなくなってきている。そして、中古車の相場価格は種々の要因（例えば、車種、年式、装備、修復暦、走行距離、内外装の程度など）に影響され、特に、走行距離が大きな影響を与える。
【０００４】
【特許文献１】特開２００２−９９７７９号公報
【発明の開示】
【発明が解決しようとする課題】
【０００５】
しかし、中古車販売業者や一般消費者などが中古車を取引する価格を決定する際に参考にしてきた中古車情報誌やウェブページなどは、成約結果を羅列したものに過ぎず、全ての走行距離に対応した査定価格や落札価格が記載されているわけではないので、中古車販売業者や一般消費者などが取引しようとする中古車の走行距離に対応した落札履歴がないような場合には、中古車販売業者や一般消費者などは適正な価格か否かわからないまま独自に取引価格を決定せざるを得ないという問題があった。
【０００６】
このことは、上述した中古車に限られた話ではなく、電化製品、家具、時計および交通機関乗車回数券などの取引においても同様であり、取引する商品の仕様や製造年月日などに応じて適正な価格を決定するために参考にする情報が得られない場合があるという問題があった。
【０００７】
そこで、この発明は、上述した従来技術の課題を解決するためになされたものであり、あらゆる走行距離に応じた中古車の適正な相場価格を提示することが可能な商品相場提示サーバ装置、商品相場提示方法および商品相場提示プログラムを提供することを目的とする。
【０００８】
また、この発明は、電化製品、家具、時計および交通機関乗車回数券などのあらゆる商品についても同様に、適正な相場価格を提示することが可能な商品相場提示サーバ装置、商品相場提示方法および商品相場提示プログラムを提供することを目的とする。
【課題を解決するための手段】
【０００９】
上述した課題を解決し、目的を達成するため、請求項１に係る発明は、市場に流通する複数の中古車の相場価格をクライアント装置に提示する商品相場提示サーバ装置であって、前記複数の中古車について少なくとも落札価格および走行距離からなる落札履歴を記憶する落札履歴記憶手段と、前記落札履歴記憶手段に記憶された落札履歴から所定の検索条件を満たす落札価格と走行距離との関係式を算出する関係式算出手段と、前記クライアント装置による所定の走行距離の指定を受け付けて、前記関係式算出手段によって算出された関係式から当該所定の走行距離に対応した落札価格を求めて、その落札価格を相場価格として提示する相場価格提示手段と、を備えたことを特徴とする。
【００１０】
また、請求項２に係る発明は、上記の発明において、前記関係式算出部は、中古車の車種、年式、装備、修復暦、走行距離、内外装の程度のいずれか一つまたは複数によって所定の評価を受けて落札された中古車の落札履歴のみから前記関係式を算出することを特徴とする。
【００１１】
また、請求項３に係る発明は、上記の発明において、前記関係式算出部は、所定の車暦を持つ中古車および／または所定の走行距離を越える中古車の落札履歴を除いて前記関係式を算出することを特徴とする。
【００１２】
また、請求項４に係る発明は、上記の発明において、前記相場価格提示部は、前記クライアント装置から走行距離の指定を受け付けた中古車の相場価格を、前記関係式を表示する線および／または所定の走行距離および所定の落札価格で区切った矩形とともに表示することを特徴とする。
【００１３】
また、請求項５に係る発明は、上記の発明において、前記相場価格提示部は、前記落札履歴記憶部に記憶された落札履歴を、落札価格の目盛軸および走行距離の目盛軸で囲まれた領域上に表示することを特徴とする。
【００１４】
また、請求項６に係る発明は、上記の発明において、前記相場価格提示部は、前記クライアント装置から所定の会場の指定を受け付けた場合には、当該所定の会場の落札履歴を他の会場の落札履歴と区別して前記領域に表示することを特徴とする。
【００１５】
また、請求項７に係る発明は、上記の発明において、市場に流通する複数の商品の相場価格をクライアント装置に提示する商品相場提示サーバ装置であって、前記複数の商品について少なくとも落札価格と、落札価格に相関する連続的な数値から構成される他の情報とからなる落札履歴を記憶する落札履歴記憶手段と、前記落札履歴記憶手段に記憶された落札履歴から、所定の検索条件を満たす落札価格と落札価格に相関する連続的な数値から構成される他の情報との関係式を算出する関係式算出手段と、前記クライアント装置による前記他の情報についての所定の数値の指定を受け付けて、前記関係式算出手段によって算出された関係式から当該所定の数値に対応した落札価格を求めて、その落札価格を相場価格として提示する相場価格提示部と、を備えたことを特徴とする。
【００１６】
また、請求項８に係る発明は、上記の発明において、市場に流通する複数の中古車の相場価格をクライアント装置に提示する商品相場提示方法であって、前記複数の中古車について少なくとも落札価格および走行距離からなる落札履歴を記憶する落札履歴記憶工程と、前記落札履歴記憶手段に記憶された落札履歴から所定の検索条件を満たす落札価格と走行距離との関係式を算出する関係式算出工程と、前記クライアント装置による所定の走行距離の指定を受け付けて、前記関係式算出手段によって算出された関係式から当該所定の走行距離に対応した落札価格を求めて、その落札価格を相場価格として提示する相場価格提示工程と、を含んだことを特徴とする。
【００１７】
また、請求項９に係る発明は、上記の発明において、市場に流通する複数の中古車の相場価格をクライアント装置に提示する方法をコンピュータに実行させる商品相場提示プログラムであって、前記複数の中古車について少なくとも落札価格および走行距離からなる落札履歴を記憶する落札履歴記憶手順と、前記落札履歴記憶手段に記憶された落札履歴から所定の検索条件を満たす落札価格と走行距離との関係式を算出する関係式算出手順と、前記クライアント装置による所定の走行距離の指定を受け付けて、前記関係式算出手段によって算出された関係式から当該所定の走行距離に対応した落札価格を求めて、その落札価格を相場価格として提示する相場価格提示手順と、をコンピュータに実行させることを特徴とする。
【発明の効果】
【００１８】
請求項１、８および９の発明によれば、この商品相場提示サーバ装置は、クライアント装置のユーザが取引しようとする中古車の走行距離に対応する落札履歴が存在しない場合においても、その走行距離に対応した相場価格を提示するので、あらゆる走行距離に対応した中古車の適正な相場価格を提示することが可能となる。
【００１９】
また、請求項２の発明によれば、この商品相場提示サーバ装置は、所定の評価を受けて落札された中古車の落札履歴のみに基づいて落札価格と走行距離との関係式を算出するので、関係式を算出するために適正でない落札履歴が排除され、クライアント装置のユーザに信頼性のある中古車の相場価格を提供することが可能となる。
【００２０】
また、請求項３の発明によれば、この商品相場提示サーバ装置は、所定の車暦を持つ中古車（例えば、レンタカー）および所定の走行距離（例えば、１０万ｋｍ）を越える中古車の落札履歴を除いて落札価格と走行距離との関係式を算出するので、クライアント装置のユーザに提供する相場価格の信頼性を維持することが可能となる。
【００２１】
また、請求項４の発明によれば、この商品相場提示サーバ装置は、クライアント装置のユーザに提供する相場価格を落札履歴と走行距離との関係式を表示する線および／または所定の走行距離および所定の落札価格で区切った矩形で表示される範囲で表示するので、相場価格を直接的に提供するのと同時に、相場価格の傾向および相場価格として予想される範囲をクライアント装置のユーザに提供することが可能となる。
【００２２】
また、請求項５の発明によれば、この商品相場提示サーバ装置は、中古車の落札履歴を落札価格の目盛軸および走行距離の目盛軸で囲まれた領域上に表示するので、中古車の落札価格の傾向をクライアント装置のユーザに提供することが可能となる。
【００２３】
また、請求項６の発明によれば、この商品相場提示サーバ装置は、クライアント装置のユーザから会場の指定を受け付けた場合には、その指定に伴う会場の落札履歴を他の会場の落札履歴と区別して前記領域に点で表示する前記領域に区別して表示するので、各会場の落札履歴の傾向をクライアント装置のユーザに提供することが可能となる。
【００２４】
また、請求項７の発明によれば、この商品相場提示サーバ装置は、クライアント装置のユーザが取引しようとする商品について、その落札価格に相関する連続的な数値から構成される他の情報に対応する落札履歴が存在しない場合においても、クライアント装置のユーザが指定した他の情報における所定の数値に対応した落札価格を相場価格として提示するので、電化製品、家具、時計および交通機関乗車回数券などのあらゆる商品についても、上記請求項１に記載の発明と同様に適正な相場価格を提示することが可能となる。
【発明を実施するための最良の形態】
【００２５】
以下に添付図面を参照して、この発明に係る商品相場提示サーバ装置、商品相場提示方法および商品相場提示プログラムの実施例を詳細に説明する。なお、以下では、本発明に係る商品相場提示サーバ装置を実施例１として説明した後に、本発明に含まれる他の実施例を実施例２として説明する。
【実施例１】
【００２６】
以下の実施例１では、実施例１に係る商品相場提示サーバ装置の概要および特徴、構成および処理の流れを順に説明し、最後に実施例１による効果を説明する。
【００２７】
［概要および特徴（実施例１）］
まず最初に、図１や図２を用いて、実施例１に係る商品相場提示サーバ装置の概要および特徴を説明する。図１は、実施例１にかかる商品相場提示サーバ装置の概要を示す図であり、図２は、実施例１に係る商品相場提示サーバ装置の処理の概要示すシーケンス図である。
【００２８】
図１に示すように、実施例１に係る商品相場提示サーバ装置３０は、各ユーザが有するクライアント装置１０と、複数のオークション会場における中古車の落札履歴を管理するオークション会場データ管理装置２０とを、ネットワーク１（公衆電話網やインターネット、ＬＡＮやＷＡＮなどによって形成される通信網）を介して通信可能に接続して構成される。
【００２９】
ここで、商品相場提示サーバ装置３０は、クライアント装置１０のユーザからのアクセスを受け付けて、ユーザが指定した中古車について所定の情報を提供するものである。そして、クライアント装置１０のユーザに提供する所定の情報として、中古車の走行距離に応じた相場価格を提示する点に主たる特徴があり、これによって、あらゆる走行距離に応じた中古車の適正な相場価格を提示することができるようにしている。
【００３０】
この主たる特徴について図２を用いて簡単に説明すると、クライアント装置１０のユーザから商品相場提示サーバ装置３０のホームページに対してアクセスがあると（ステップＳ２０１）、商品相場提示サーバ装置３０は、中古車の検索条件入力画面をクライアント装置１０に送信する（ステップＳ２０２）。この画面の送信を受けて、クライアント装置１０のユーザによって入力された検索条件が、商品相場提示サーバ装置３０に送信されると（ステップＳ２０３）、商品相場提示サーバ装置３０はこの検索条件を満たす落札履歴を検索する（ステップＳ２０４）。
【００３１】
つまり、商品相場提示サーバ装置３０は、図１に示すように、少なくとも落札価格および走行距離からなる落札履歴を複数の中古車について記憶している。そして、その落札履歴の中からクライアント装置１０のユーザから受け付けた検索条件に合致する所定の落札履歴を検索し、その所定の落札履歴に基づいて落札価格と走行距離との関係式を算出する（ステップＳ２０５）。そして、所定の落札履歴と算出した関係式とを表示する画面をクライアント装置１０に送信する（ステップＳ２０６）。
【００３２】
この画面の送信を受けて、例えば、図１に例示するように、クライアント装置１０のユーザによって指定された所定の走行距離の情報（例えば、縦軸を落札価格、横軸を走行距離とする領域内で所定の走行距離を指定する）が送信されると（ステップＳ２０７）、商品相場提示サーバ装置３０は、先ほど算出した関係式からその走行距離に対応した落札価格を算出し、その落札価格を相場価格としてクライアント装置１０に送信する（ステップＳ２０８）。そして、その相場価格がクライアント装置１０に提示される。
【００３３】
このように、図１に示した商品相場提示サーバ装置は、クライアント装置１０のユーザが入力した検索条件に合致する落札履歴に基づいて、落札価格と走行距離との関係式を算出し、その関係式からクライアント装置１０のユーザが指定した走行距離に対応する落札価格を求めて、その落札価格を相場価格としてクライアント装置１０に提示する。このため、クライアント装置１０のユーザが取引しようとする中古車の走行距離に対応する落札履歴が存在しない場合においても、あらゆる走行距離に対応した中古車の適正な相場価格を提示することが可能となる。
【００３４】
［商品相場提示サーバ装置の構成（実施例１）］
続いて、図３および図４を用いて、実施例１に係る商品相場提示サーバ装置３０の構成を説明する。図３は、実施例１に係る商品相場提示サーバ装置の構成を示すブロック図であり、図４は、実施例１に係る落札履歴記憶部に記憶される落札履歴を示す図である。
【００３５】
図３に示すように、商品相場提示サーバ装置３０は、通信制御ＩＦ部３１と、記憶部３２と、制御部３３とから構成される。このうち、通信制御ＩＦ部３１は、クライアント装置１０およびオークション会場データ管理装置２０との間でやり取りする各種情報に関する通信を制御する手段であり、例えば、クライアント装置１０のユーザが入力した中古車の検索条件についての情報は、この通信制御ＩＦ部３１を介して後述する通信制御部３３ｄに送信される。
【００３６】
記憶部３２は、制御部１６による各種処理に必要なデータおよびプログラムを格納する格納手段（記憶手段）であり、特に本発明に密接に関連するものとしては、落札履歴記憶部３２ａを備える。なお、この落札履歴記憶部３２ａは、特許請求の範囲に記載の「落札履歴記憶部」に対応する。
【００３７】
落札履歴記憶部３２ａは、中古車の落札履歴に関する各種の情報を記憶する手段であり、具体的には、図４に例示するように、中古車のメーカー、車名、走行距離、落札価格などを記憶して構成される。また、この落札履歴記憶部３２ａは、中古車の評価点を記憶している。この中古車の評価点は、オークション会場などの中古車市場において、中古車の採点員と呼ばれる者が、中古車の車種、年式、装備、修復暦、走行距離、内外装の程度などに基づいて１０点満点からの減点方式で採点したものであり、評価点３．５〜４．０の中古車が市場に最も多く流通する。
【００３８】
制御部３３は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、検索条件受付部３３ａと、関係式算出部３３ｂと、相場価格提示部３３ｃと、通信制御部３３ｄとを備える。なお、この関係式算出部３３ｂは、特許請求の範囲に記載の「関係式算出部」に対応し、相場価格提示部３３ｃは、同じく「相場価格提示部」に対応する。
【００３９】
このうち、検索条件受付部３３ａは、通信制御ＩＦ部３１を介してクライアント装置１０から中古車の検索条件を受け付けて、関係式算出部３３ｂにその検索条件に基づく指示を送る処理部である。具体的には、クライアント装置１０のユーザが入力した検索条件に合致する落札履歴を落札履歴記憶部３２ａの中から検索するように関係式算出部３３ｂに指示を送る。
【００４０】
関係式算出部３３ｂは、検索条件受付部３３ａからの指示を受けて、落札履歴記憶部３２ａの中から検索した落札履歴を読み出して、その落札履歴に基づいて落札価格と走行距離との関係式を算出する処理部である。具体的には、関係式算出部３３ｂは、検出条件受付部３３ａの指示に従って落札履歴記憶部３２ａから中古車の落札履歴を読み出す。その際、車暦がレンタカーである中古車や走行距離が１０万ｋｍを越える中古車を除いて、先に述べた評価点が３．５〜４．０の中古車の落札履歴を読み出す。そして、その読み出した落札履歴における落札価格と走行距離とに基づいて関係式を、例えば、最小二乗法による回帰直線として算出する。
【００４１】
相場価格提示部３３ｃは、通信制御ＩＦ部３１を介してクライアント装置１０から中古車の走行距離の指定を受け付けて、先に述べた関係式からその走行距離に対応した落札価格を求めて、その落札価格を相場価格としてクライアント装置１０に提示する処理部である。具体的には、先に述べた関係式を関係式算出部３３ｂから読み出し、通信制御ＩＦ部３１を介してクライアント装置１０のユーザよって指定された走行距離の情報に対応する落札価格を相場価格として算出する。
【００４２】
通信制御部３３ｄは、関係式算出部３３ｂおよび相場価格提示部３３ｃからの指示を受け付けて、関係式算出部３３ｂおよび相場価格提示部３３ｃから送られてくる情報を通信制御ＩＦ部３１を介してクライアント装置１０に送信する処理部である。具体的には、関係式算出部３３ｂから送られてくる情報（検索条件受付部３３ａの指示に従い関係式算出部３３ｂが落札履歴記憶部３２ａから読み出した落札履歴の情報や、その落札履歴における落札価格と走行距離とに基づいて関係式算出部３３ｂが算出した関係式についての情報）を通信制御ＩＦ部３１を介してクライアント装置１０に送信する。
【００４３】
また、相場価格提示３３ｃから送られてくる情報（クライアント装置１０のユーザによって指定された走行距離の情報に対応させて相場価格提示３３ｃが相場価格として算出した落札価格についての情報）を通信制御ＩＦ部３１を介してクライアント装置１０に送信する。
【００４４】
なお、商品相場提示サーバ装置３０は、クライアント装置１０からのアクセスを受け付けて各種の処理を行うコンピュータであり、例えば、既知のパーソナルコンピュータやワークステーションなどに上記した各部の機能を搭載することで構成される。
【００４５】
［相場価格提示処理（実施例１）］
次に、図５、図６、図７、図８および図９を用いて、実施例１に係る商品相場提示サーバ装置の関係式算出処理を説明する。図５は、実施例１に係る商品相場提示サーバ装置の相場価格提示処理の流れを示すフローチャートである。図６は、実施例１に係る検索条件入力画面を示す図である。図７は、実施例１に係る検索条件入力例を示す図である。図８は、実施例１に係る関係式画面を示す図である。図９は、実施例１に係る相場価格提示画面を示す図である。
【００４６】
図５に示すように、クライアント装置１０のユーザからアクセスがあると（ステップＳ５０１肯定）、商品相場提示サーバ装置３０の通信制御部３３ｄは、例えば、図６に例示するような中古車の検索条件入力画面をクライアント装置１０に送信して提示する（ステップＳ５０２）。この検索条件入力画面の送信を受けて、例えば、図７に例示するように、クライアント装置１０のユーザによって入力された検索条件が商品相場提示サーバ装置３０に送信されると、商品相場提示サーバ装置３０の検索条件受付部３３ａは、通信制御ＩＦ部３１を介してその検索条件を受け付ける（ステップＳ５０３）。
【００４７】
そして、検索条件受付部３３ａは、クライアント装置１０のユーザから受け付けた検索条件に合致する中古車の落札履歴を、落札履歴記憶部３２ａに記憶されている中古車の落札履歴（例えば、図４参照）から検索するように関係式算出部３３ｂに対し指示を送る。この指示を受けて、関係式算出部３３ｂは、クライアント装置１０のユーザから受け付けた検索条件に合致する中古車の落札履歴の検索を開始する（ステップＳ５０４）。
【００４８】
中古車の落札履歴の検索を終了した関係式算出部３３ｂは、その落札履歴を落札履歴記憶部３２ａから読み出し、落札履歴のフィルタリングを行う（ステップＳ５０５）。具体的には、関係式算出部３３ｂは、落札履歴記憶部３２ａから読み出した落札履歴（例えば、図４参照）の中から、レンタカーの車暦を持つ中古車および走行距離が１０万ｋｍを超える中古車の落札履歴を除いて、走行距離評価点が３．５〜４．０の中古車の落札履歴のみを抽出する。そのフィルタリングの結果、該当する中古車の落札履歴が１０未満である場合には（ステップＳ５０６否定）、クライアント装置１０のユーザに検索条件を再検討させるために、検索条件入力画面を送信するよう通信制御部３３ｄに対し指示を送る。
【００４９】
一方、関係式算出部３３ｂにおける落札履歴のフィルタリングの結果、該当する落札履歴が１０以上である場合には（ステップＳ５０６肯定）、関係式算出部３３ｂは、その落札履歴に基づいて落札価格と走行距離との関係式を算出する（ステップＳ５０７）。そして、例えば、図８に例示するように、落札価格の目盛軸および走行距離の目盛軸で囲まれた領域上に、落札履歴記憶部３２ａから読み出した落札履歴および算出した関係式を表示する関係式画面をクライアント装置１０に提示するために、関係式画面を送信するよう通信制御部３３ｄに対し指示を送る（ステップＳ５０８）。
【００５０】
この関係式画面の送信を受けて、例えば、図９に例示するように、クライアント装置１０のユーザよって関係式画面上で指定された走行距離の情報が商品相場提示サーバ装置３０に送信されると、商品相場提示サーバ装置３０の相場価格提示部３３ｃは、通信制御ＩＦ部３１を介してその走行距離を受け付ける（ステップＳ５０９）。続いて、相場価格提示部３３ｃは、関係式算出部３３ｂから関係式を読み出して、その走行距離に対応した落札価格を算出する。続いて、例えば、図９に例示するように、その落札価格を相場価格としてクライアント装置に提示するため、相場価格の情報を送信するよう通信制御部３３ｄに対して指示を送る（ステップＳ５１０）。そして、通信制御部３３ｄは、相場価格の情報をクライアント装置１０に対して送信して相場価格提示処理を終了する。
【００５１】
［実施例１の効果］
上述してきたように、実施例１によれば、この商品相場提示サーバ装置３０は、クライアント装置１０のユーザが取引しようとする中古車の走行距離に対応する落札履歴が存在しない場合においても、その走行距離に対応した相場価格を提示するので、あらゆる走行距離に対応した中古車の適正な相場価格を提示することが可能となる。
【００５２】
また、実施例１によれば、この商品相場提示サーバ装置３０は、所定の評価を受けて落札された中古車の落札履歴のみに基づいて落札価格と走行距離との関係式を算出するので、関係式を算出するために適正でない落札履歴が排除され、クライアント装置１０のユーザに信頼性のある中古車の相場価格を提供することが可能となる。
【００５３】
また、実施例１によれば、この商品相場提示サーバ装置３０は、所定の車暦を持つ中古車（例えば、レンタカー）および所定の走行距離（例えば、１０万ｋｍ）を越える中古車の落札履歴を除いて落札価格と走行距離との関係式を算出するので、クライアント装置１０のユーザに提供する相場価格の信頼性を維持することが可能となる。
【００５４】
また、実施例１によれば、この商品相場提示サーバ装置３０は、中古車の落札履歴を落札価格の目盛軸および走行距離の目盛軸で囲まれた領域上に表示するので、中古車の落札価格の傾向をクライアント装置１０のユーザに提供することが可能となる。
【実施例２】
【００５５】
さて、これまで実施例１にかかる商品相場提示サーバ装置３０について説明したが、本発明は上述した実施例以外にも、種々の異なる形態にて実施されてよいものである。そこで、以下では、実施例２係る商品相場提示サーバ装置として種々の異なる実施例を（１）〜（７）に区分けして説明する。図１０は、実施例２に係る相場価格の提示方法を示す図である。図１１は、実施例２に係るオークション会場の指定に伴う落札履歴の表示方法を示す図である。
【００５６】
（１）相場価格の提示方法
上記の実施例１では、クライアント装置１０のユーザから指定された走行距離に対応した落札価格を相場価格として提示する場合について説明したが、本発明はこれに限定されるものではなく、例えば、図１０に例示するように、落札価格の目盛軸および走行距離の目盛軸で囲まれた領域上に、落札履歴記憶部３２ａから読み出した落札履歴および算出した関係式に加えて、相場価格としてとり得る範囲を示す矩形を表示するようにしてもよい。具体的には、この矩形は、クライアント装置１０のユーザから指定された走行距離の上下一万ｋｍ（指定した中古車に走行距離に対して一般的に取引が落ち着くとされている範囲）で区切ることで表示される。
【００５７】
これにより、この商品相場提示サーバ装置３０は、クライアント装置１０のユーザに提供する相場価格を点、線、矩形で表示される範囲のいずれか一つまたは複数で表示するので、相場価格を直接的に提供するのと同時に相場価格の傾向および相場価格として予想される範囲をクライアント装置１０のユーザに提供することが可能となる。
【００５８】
（２）会場指定に伴う落札履歴の表示
上記の実施例１では、検索条件受付部３３ａの指示に従い関係式算出部３３ｂが落札履歴記憶部３２ａから読み出した落札履歴の情報を落札価格の目盛軸および走行距離の目盛軸で囲まれた領域上に表示する場合を説明したが、本発明はこれに限定されるものではなく、例えば、図１１に例示するように、クライアント装置１０のユーザから指定を受けたオークション会場の落札履歴を区別して表示するようにしてもよい。
【００５９】
これにより、この商品相場提示サーバ装置３０は、クライアント装置１０のユーザから会場の指定を受け付けた場合には、その指定に伴う会場の落札履歴を他の会場の落札履歴と区別して表示するので、各会場の落札履歴の傾向をクライアント装置のユーザに提供することが可能となる。
【００６０】
（３）中古車以外の商品についての相場価格の表示
上記の実施例１では、中古車について相場価格を提示する場合について説明したが、本発明はこれに限定されるものではなく、電化製品、家具、時計および交通機関乗車回数券などの商品についても相場価格を提示するようにしてもよい。例えば、中古コンピュータの相場価格をＣＰＵの性能（ＭＨｚ）応じて提示するようにしてもよい。
【００６１】
これにより、この商品相場提示サーバ装置は、クライアント装置のユーザが取引しようとする商品について、その落札価格に相関する連続的な数値から構成される他の情報に対応する落札履歴が存在しない場合においても、クライアント装置のユーザが指定した他の情報における所定の数値に対応した落札価格を相場価格として提示するので、電化製品、家具、時計および交通機関乗車回数券などのあらゆる商品についても、上記実施例１に記載の発明と同様に適正な相場価格を提示することが可能となる。
【００６２】
（４）ネットワークの構成
上記の実施例１では、商品相場提示サーバ装置３０と、クライアント装置１０と、オークション会場データ管理装置２０とをネットワーク１を介して通信可能に接続して構成される場合について説明したが、本発明はこれに限定されるものではなく、各ユーザが有するクライアント装置１０と商品相場提示サーバ装置３０とをネットワーク（公衆電話網やインターネット、ＬＡＮやＷＡＮなどによって形成される通信網）で通信可能に接続し、商品相場提示サーバ装置３０と複数のオークション会場における中古車の落札履歴を管理するオークション会場データ管理装置２０とを別のネットワークで接続するようにしてもよい。
【００６３】
（５）評価点について
上記の実施例１では、落札履歴記憶部３２ａは採点員による中古車の評価点を記憶する場合について説明したが、本発明はこれに限定されるものではなく、ライブで行われる取引おいては採点員による評価点ではなく中古車の各種要因（車種、年式、装備、修復暦、走行距離、内外装の程度）に応じて定められた統一基準を記憶するようにしてもよい。
【００６４】
（６）装置構成
また、図３に示した商品相場提示サーバ装置３０の各構成要素は機能概念的なものであり、必ずしも物理的に図示の如く構成されていることを要しない。すなわち、商品相場提示サーバ装置３０の分散・統合の具体的形態は図示のものに限られず、例えば、検索条件受付部３３ａと関係式算出部３３ｂと相場価格提示部を統合するなど、各構成要素の全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００６５】
（７）商品相場提示プログラム
ところで、上記の実施例１で説明した各種の処理は、あらかじめ用意されたプログラムをパーソナルコンピュータやワークステーションなどのコンピュータシステムで実行することによって実現することができる。そこで、以下では、図１２を用いて、上記の実施例１と同様の機能を有する商品相場提示プログラムを実行するコンピュータの一例を説明する。図１２は、商品相場提示プログラムを実行するコンピュータを示す図である。
【００６６】
同図に示すように、商品相場提示サーバ装置としてのコンピュータ４０は、通信制御ＩＦ部４１、ＨＤＤ４２、ＲＡＭ４３、ＲＯＭ４４およびＣＰＵ４５をバス５０で接続して構成される。ここで、通信制御ＩＦ部４１は、図３に示した通信制御ＩＦ部３１に対応する。
【００６７】
そして、ＲＯＭ４４には、上記の実施例１に示した商品相場提示サーバ装置３０と同様の機能を発揮する商品相場提示プログラム、つまり、図１２に示すように、検索条件受付プログラム４４ａ、関係式算出プログラム４４ｂ、相場価格提示プログラム４４ｃおよび通信制御プログラム４４ｄがあらかじめ記憶されている。なお、これらのプログラム４４ａ、４４ｂ、４４ｃおよび４４ｄについては、図３に示した商品相場提示サーバ装置３０の各構成要素と同様、適宜統合または分散してもよい。なお、ＲＯＭ４４は、不揮発性のＲＡＭでもよい。
【００６８】
そして、ＣＰＵ４５が、これらのプログラム４４ａ、４４ｂ、４４ｃおよび４４ｄをＲＯＭ４４から読み出して実行することで、図１２に示すように、各プログラム４４ａ、４４ｂ、４４ｃおよび４４ｄは、検索条件受付プロセス４５ａ、関係式算出プロセス４５ｂ、相場価格提示プロセス４５ｃおよび通信制御プロセス４５ｄとして機能するようになる。なお、各プロセス４５ａ、４５ｂ、４５ｃおよび４５ｄは、図３に示した検索条件受付部３３ａ、関係式算出部３３ｂ、相場価格提示部３３ｃおよび通信制御部３３ｄにそれぞれ対応する。
【００６９】
また、ＨＤＤ４２には、図１２に示すように、落札履歴テーブル４２ａが設けられる。この落札履歴テーブル４２ａは、図３に示した落札履歴記憶部３２ａに対応する。そして、ＣＰＵ４５は、落札履歴テーブル４２ａから落札履歴データ４３ａを読み出してＲＡＭ４３に格納し、ＲＡＭ４３に格納された落札履歴データ４３ａに基づいて関係式算出処理を実行する。
【００７０】
なお、上記した各プログラム４４ａ、４４ｂ、４４ｃおよび４４ｄについては、必ずしも最初からＲＯＭ４４に記憶させておく必要はなく、例えば、コンピュータ４０に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」、または、コンピュータ４０の内外に備えられるＨＤＤなどの「固定用の物理媒体」、さらには、公衆回線、インターネット、ＬＡＮ、ＷＡＮなどを介してコンピュータ４０に接続される「他のコンピュータ（またはサーバ）」などに各プログラムを記憶させておき、コンピュータ４０がこれらから各プログラムを読み出して実行するようにしてもよい。
【産業上の利用可能性】
【００７１】
以上のように、本発明に係る商品相場提示サーバ装置、商品相場提示方法および商品相場提示プログラムは、市場に流通する複数の中古車の相場価格をクライアント装置に提示する場合に有用であり、特に、あらゆる走行距離に対応した中古車の適正な相場価格を提示することに適する。
【図面の簡単な説明】
【００７２】
【図１】実施例１に係る商品相場提示サーバ装置の概要を示す図である。
【図２】実施例１に係る商品相場提示サーバ装置の処理の概要を示すシーケンス図である。
【図３】実施例１に係る商品相場提示サーバ装置の構成を示すブロック図である。
【図４】実施例１に係る落札履歴記憶部に記憶される落札履歴を示す図である。
【図５】実施例１に係る商品相場提示サーバ装置の相場価格提示処理の流れを示すフローチャートである。
【図６】実施例１に係る検索条件入力画面を示す図である。
【図７】実施例１に係る検索条件入力例を示す図である。
【図８】実施例１に係る関係式画面を示す図である。
【図９】実施例１に係る相場価格提示画面を示す図である。
【図１０】実施例２にかかる相場価格の提示方法を示す図である。
【図１１】実施例２に係るオークション会場の指定に伴う落札履歴の表示方法を示す図である。
【図１２】商品相場提示プログラムを実行するコンピュータを示す図である。
【符号の説明】
【００７３】
１  ネットワーク
１０  クライアント装置
２０  オークション会場データ管理装置
３０  商品相場提示サーバ装置
３１  通信制御ＩＦ部
３２  記憶部
３２ａ  落札履歴部
３３  制御部
３３ａ  検索条件受付部
３３ｂ  関係式算出部
３３ｃ  相場価格提示部
３３ｄ  通信制御部
４０  コンピュータ
４１  通信制御ＩＦ部
４２  ＨＤＤ（Hard Disk Drive）
４３  ＲＡＭ（Random Access Memory）
４４  ＲＯＭ（Read Only Memory）
４５  ＣＰＵ（Central Processing Unit）
【図１】
2006323699.tif 000003
【図２】
2006323699.tif 000004
【図３】
2006323699.tif 000005
【図４】
2006323699.tif 000006
【図５】
2006323699.tif 000007
【図６】
2006323699.tif 000008
【図７】
2006323699.tif 000009
【図８】
2006323699.tif 000010
【図９】
2006323699.tif 000011
【図１０】
2006323699.tif 000012
【図１１】
2006323699.tif 000013
【図１２】
2006323699.tif 000014